(57)【要約】【課題】 手荷物が金属性であったり、手荷物に金属を内蔵している場であっても、手荷物に添付された手荷物用ＲＦＩＤタグに対して、タグリーダライタによる読み取り処理や書き込み処理が確実に行えるようにした手荷物用ＲＦＩＤタグを提供する。【解決手段】 ループ状にして手荷物に取り付けることが可能な形状を有する基材シートと、前記基材シートに設けられた、ＩＣチップと通信用アンテナとを含む非接触型ＩＣモジュールとを有する手荷物用ＲＦＩＤタグであって、前記基材シートの長手方向の端部同士が貼り合わされて、前記基材シートがループ状に手荷物に取り付けられた際に、前記基材シートの長手方向の中央部分において折り曲がる領域に、プラスチックフィルムが貼付されていることを特徴とする。【選択図】        図３
2008299603.tif 000002
【特許請求の範囲】
【請求項１】
ループ状にして手荷物に取り付けることが可能な形状を有する基材シートと、前記基材シートに設けられた、ＩＣチップと通信用アンテナとを含む非接触型ＩＣモジュールとを有する手荷物用ＲＦＩＤタグであって、
前記基材シートの長手方向の端部同士が貼り合わされて、前記基材シートがループ状に手荷物に取り付けられた際に、前記基材シートの長手方向の中央部分において折り曲がる領域に、プラスチックフィルムが貼付されていることを特徴とする手荷物用ＲＦＩＤタグ。
【請求項２】
前記非接触型ＩＣモジュールが、前記基材シートの長手方向の折り曲がる領域以外の領域に設けられていることを特徴とする請求項１記載の手荷物用ＲＦＩＤタグ。
【請求項３】
基材シートの両端領域上に、それぞれ粘着剤層が設けられ、前記各粘着剤層上に剥離シートが剥離可能に貼付されていることを特徴とする手荷物用ＲＦＩＤタグ。
【発明の詳細な説明】
【技術分野】
【０００１】
本発明は、ループ状にして手荷物に取り付けることが可能な形状を有する基材シートと、前記基材シートに設けられた、ＩＣチップと通信用アンテナとを含む非接触型ＩＣモジュールとからなる手荷物用ＲＦＩＤタグに関する。
【背景技術】
【０００２】
従来、空港における搭乗者の手荷物管理として、手荷物の取っ手などにループ状に巻き付けて使用するバッゲージタグが使用されている。
これらのバッゲージタグには、予めバーコードなどの機械読取コードが表示されて、搭乗手続きなどの際に、リーダライタで機械読取コードの読み取り処理を行ったりして、手荷物情報の管理を効率的に行えるようにシステム化されている。
【０００３】
また、近年では、機械読取コードを表示する換わりに、ＩＣチップと通信用アンテナとを含む非接触型ＩＣモジュールを備えたバッゲージタグ、つまり手荷物用ＲＦＩＤタグが開発され、公知となっている。（例えば、特許文献１、２、参照）
【０００４】
【特許文献１】特開２００２−３６２７３０号
【特許文献２】特開２００３−２８８５７２号
【０００５】
これらの手荷物用ＲＦＩＤタグを使用した場合には、空港の係員により手荷物の取っ手に手荷物用ＲＦＩＤタグをループ状に巻き付け、ベルトコンベア上に載せるなどして搬送させて、所定の場所に設置したタグリーダライタを用いて、無線により非接触で読み取り処理や書き込み処理を行うことになる。
しかしながら、手荷物用ＲＦＩＤタグをループ状に巻き付けた手荷物が、金属性の手荷物であったり、また、手荷物に金属を内蔵している場合には、これらの金属の影響でタグリーダライタから送信される電波が手荷物用ＲＦＩＤタグで受信できなかったり、正確な情報の読み取りや、書き込み処理を行えない場合が生じるという問題がある。
【０００６】
図７には、従来の手荷物用ＲＦＩＤタグ２０を使用して、その手荷物用ＲＦＩＤタグ２０を手荷物１１の取っ手１１ａに対して、ループ状に巻きつけて取り付けた状態の断面図が示されている。
手荷物１１の取っ手１１ａに対して、ループ状にして垂れ下げた状態で添付された手荷物用ＲＦＩＤタグ２０は、ループ状にして垂れ下がった底部となる部分が折れ曲がり、ＩＣチップと通信用アンテナとを含む非接触型ＩＣモジュールを有するインレット５の部分と、手荷物１１の側面とが接近している。
この場合には、手荷物１１が、金属性１１の手荷物であったり、また、手荷物１１に金属を内蔵している場合には、タグリーダライタ１３による読み取りや書き込み処理が正確にできないこともあるという問題がある。
【発明の開示】
【発明が解決しようとする課題】
【０００７】
そこで、本発明は、手荷物が金属性であったり、また手荷物に金属を内蔵している場合であっても、手荷物に添付された手荷物用ＲＦＩＤタグに対して、タグリーダライタによる読み取り処理や書き込み処理が確実に行えるようにした手荷物用ＲＦＩＤタグを提供する。
【課題を解決するための手段】
【０００８】
本発明の手荷物用ＲＦＩＤタグは、ループ状にして手荷物に取り付けることが可能な形状を有する基材シートと、前記基材シートに設けられた、ＩＣチップと通信用アンテナとを含む非接触型ＩＣモジュールとを有する手荷物用ＲＦＩＤタグであって、前記基材シートの長手方向の端部同士が貼り合わされて、前記基材シートがループ状に手荷物に取り付けられた際に、前記基材シートの長手方向の中央部分において折り曲がる領域に、プラスチックフィルムが貼付されていることを特徴とする。
【０００９】
また、本発明の手荷物用ＲＦＩＤタグは、前記非接触型ＩＣモジュールが、前記基材シートの長手方向の折り曲がる領域以外の領域に設けられていることを特徴とする。
したがって、基材シートが長手方向に折り曲がった場合でも、ＩＣチップや通信用アンテナが破損されることを防ぐことができる。
【００１０】
更に、本発明の手荷物用ＲＦＩＤタグは、基材シートの両端領域上に、それぞれ粘着剤層が設けられ、前記各粘着剤層上に剥離シートが剥離可能に貼付されていることを特徴とする。
したがって、剥離シートを剥離させる際に、間違えて非接触型ＩＣモジュール上に貼付されている剥離シートを剥離して、粘着剤が露出して不必要に他の物品に貼付することを防止できる。
【発明の効果】
【００１１】
本発明の手荷物用ＲＦＩＤタグは、基材シートがループ状に手荷物に取り付けられた際に、基材シートの長手方向の中央部分において折り曲がる領域に、プラスチックフィルムが貼付されているので、手荷物が金属性であったり、また手荷物に金属を内蔵している場であっても、手荷物に添付された手荷物用ＲＦＩＤタグに対して、タグリーダライタによる読み取り処理や書き込み処理が確実に行えるという効果がある。
【発明を実施するための最良の形態】
【００１２】
以下、本発明の第１実施形態に係る手荷物用ＲＦＩＤタグを、図面に基づいて詳細に説明する。
図１には、第１実施形態に係る手荷物用ＲＦＩＤタグ１を分解した状態の斜視図が示され、図２には、第１実施形態に係る手荷物用ＲＦＩＤタグ１の斜視図が示され、図３には、手荷物用ＲＦＩＤタグ１の側面図が示されている。
手荷物用ＲＦＩＤタグ１は、手荷物の取っ手などに取り付ける際に、ループ状にして垂れ下げることが可能な寸法からなる矩形形状を有する基材シート２と、この基材シート２上に設けられ、ＩＣチップ３と通信用アンテナ４とを含む非接触型ＩＣモジュールを有するインレット５とからなり、基材シート２上には、粘着剤が塗布された粘着剤層６を有している。
インレット５は、粘着剤層６の粘着剤により貼付されている。
また、インレット５が設けられた基材シート２の上側には、粘着剤層６により剥離シート７が剥離可能に貼付されている。
【００１３】
更に、剥離シート７上の中央部を含む領域には、プラスチックフィルム８が粘着剤９により貼付されている。
また、基材シート２上に貼付されている剥離シート７の両端側には、その両端部から所定間隔をあけてスリット７ａ，７ｂがそれぞれ形成されており、スリット７ａ，７ｂから剥離シート７の両端部分を剥離させることで、手荷物に取り付ける際に、基材シートをループ状にして、その剥離させた部分の粘着剤層６同士を接着させることで、手荷物に対して手荷物用ＲＦＩＤタグ１を添付できるようにしてある。
【００１４】
剥離シート７上に貼付されているプラスチックフィルム８は、基材シート２をループ状にして手荷物の取っ手などに取り付けられた際に、基材シート２の長手方向の中央部分において、基材シート２ができるだけ折り曲がらないようにするために設けられている。
また、この場合、ＩＣチップ３と通信用アンテナ４とを含む非接触型ＩＣモジュールを有するインレット５の位置が、手荷物から離れた側になるようにして、基材シート２をループ状にして手荷物の取っ手に付けることが好ましい。
【００１５】
ＩＣチップ３と通信用アンテナ４とを含む非接触型ＩＣモジュールを有するインレット５は、基材シート２の長手方向の折り曲がる領域以外の領域に設けられており、基材シート２をループ状にして手荷物の取っ手などに取り付けられた際にも、ＩＣチップ３と通信用アンテナ４に悪影響がないようにしてある。
【００１６】
図４には、手荷物用ＲＦＩＤタグ１を、手荷物１１に添付させた状態が示されている。
手荷物用ＲＦＩＤタグ１を、手荷物１１に添付する方法としては、例えば、手荷物１１の取っ手１１ａに手荷物用ＲＦＩＤタグ１の基材シート２を巻きつけて、剥離紙７を取り除いて粘着剤層６同士を接着させることで、手荷物１１の取っ手１１ａにループ状にして垂れ下げた状態で添付させる。
この場合に、ループ状にして垂れ下がった底部となる折り曲がった領域には、基材シート２にプラスチックフィルム８が粘着剤９により貼付されていることで、曲線状のカーブを描いた状態となり、折り返された基材シート２同士の間に隙間が生じる。
【００１７】
この際に、ＩＣチップ３と通信用アンテナ４とを含む非接触型ＩＣモジュールを有するインレット５が貼付されている部分を、手荷物１１から離れる位置として巻きつけていれば、たとえ手荷物１１が金属性であっても、金属の影響を受けることなくリーダライタにより通信用アンテナ４と通信を良好に行うことができる。
例えば、飛行場のターミナルにおいては、通常、手荷物１１を取り扱う係員が手荷物用ＲＦＩＤタグ１の添付作業を行い、手荷物用ＲＦＩＤタグ１を添付させた手荷物１１は、係員によりベルトコンベアー１２に載せられて所定の場所に搬送される。
【００１８】
図５には、実施形態に係る手荷物用ＲＦＩＤタグ１を添付させた手荷物１１を、ベルトコンベアー１２に載せて処理するシステムの構成概要が示されている。
ベルトコンベアー１２は、一定方向に回転して手荷物１１を搬送させ、また、必要に応じて、他のベルトコンベアー１２ａに手荷物１１を移動させるなどして、手荷物１１毎に搬送先を変えることもできるようにしてある。
【００１９】
ベルトコンベアー１２の所定位置には、手荷物用ＲＦＩＤタグ１用のリーダライタ１３が備えられている。
このリーダライタ１３は、ベルトコンベアー１２に載せられて搬送されてきた手荷物１１に添付されている手荷物用ＲＦＩＤタグ１に対して、無線により情報の読み取りや、書き込み処理を行う機能を有している。
また、リーダライタ１３が備えられた位置よりも、ベルトコンベアー１２の移動方向の手前側には、手荷物１１が通過したことを検知するセンサー１４が備えられている。
また、リーダライタ１３とセンサー１４とは、管理装置１５に通信可能に接続されている。
【００２０】
図６には、ベルトコンベアー１２に載せられて搬送されてきた手荷物１１に取り付けられた手荷物用ＲＦＩＤタグ１に対して、リーダライタ１３により情報の読み取りや書き込み処理を行う場合が示されている。
リーダライタ１３により情報の読み取りや書き込み処理を行う場合でも、手荷物用ＲＦＩＤタグ１のループ状にして垂れ下がった底部となる折り曲がった領域には、基材シート２にプラスチックフィルム８が粘着剤９により貼付されていることで、曲線状のカーブを描いた状態となっているので、手荷物１１が金属性であったり、また手荷物１１に金属を内蔵している場であっても、手荷物１１に添付された手荷物用ＲＦＩＤタグ１に対して、タグリーダライタ１３による読み取り処理や書き込み処理が確実に行える。
【００２１】
次に、本発明の第２実施形態に係る手荷物用ＲＦＩＤタグ２０を、図８及び図９に基づいて詳細に説明する。
図８には、本発明の第２実施形態に係る手荷物用ＲＦＩＤタグ２０の斜視図が示され、図９には、手荷物用ＲＦＩＤタグ２０の側面図が示されている。
手荷物用ＲＦＩＤタグ２０は、ループ状にして垂れ下げた状態で手荷物の取っ手などに取り付けることが可能な矩形形状を有する基材シート２に、ＩＣチップ３と通信用アンテナ４とを含む非接触型ＩＣモジュールを有するインレット５が粘着剤１０により貼付されて、また、基材シート２の両端側には、それぞれ粘着剤層２１を有する領域が設けられ、それらの粘着剤層２１上には、それぞれ剥離紙２２が剥離可能に貼付されている。
【００２２】
手荷物用ＲＦＩＤタグ２０を、手荷物の取っ手などに取り付ける際には、基材シート２の両端側に貼付されている各々の剥離紙２２を剥離して取り去り、基材シート２をループ状にして、その長手方向の端部に設けられている粘着剤層２１同士を貼り合わせることで、手荷物に手荷物用ＲＦＩＤタグ２０を添付させることができるように構成されている。
この場合に、基材シート２の長手方向の中央部分において折り曲がる周辺領域に、プラスチックフィルム８が粘着剤９により貼付されているために、基材シート２が鋭角に折れることなく曲線状に曲がった状態で添付することができる。
【図面の簡単な説明】
【００２３】
【図１】本発明の第１実施形態に係る手荷物用ＲＦＩＤタグを分解した状態の斜視図である。
【図２】本発明の第１実施形態に係る手荷物用ＲＦＩＤタグの斜視図である。
【図３】本発明の第１実施形態に係る手荷物用ＲＦＩＤタグの側面図である。
【図４】本発明の第１実施形態に係る手荷物用ＲＦＩＤタグを、手荷物に添付させた状態を示す図である。
【図５】本発明の第１実施形態に係る手荷物用ＲＦＩＤタグを添付させた手荷物を、ベルトコンベアーに載せて処理するシステムの構成概要を示す図である。
【図６】本発明の第１実施形態に係る手荷物用ＲＦＩＤタグを添付させた手荷物を、ベルトコンベアーで搬送させて、リーダライタで読み取り処理を行っている状態を示す図である。
【図７】従来の手荷物用ＲＦＩＤタグを添付させた手荷物を、ベルトコンベアーで搬送させて、リーダライタで読み取り処理を行っている状態を示す図である。
【図８】本発明の第２実施形態に係る手荷物用ＲＦＩＤタグの斜視図である。
【図９】本発明の第２実施形態に係る手荷物用ＲＦＩＤタグの側面図である。
【符号の説明】
【００２４】
１，２０  手荷物用ＲＦＩＤタグ
２  基材シート
３  ＩＣチップ
４  通信用アンテナ
５  インレット
６  粘着剤層
７，２２  剥離紙
７ａ，７ｂ  スリット
８  プラスチックフィルム
９，１０，２１  粘着剤
１１  手荷物
１１ａ  取っ手
１２  ベルトコンベアー
１３  リーダライタ
１４  センサー
１５  管理装置
３０  従来の手荷物用ＲＦＩＤタグ
【図１】
2008299603.tif 000003
【図２】
2008299603.tif 000004
【図３】
2008299603.tif 000005
【図４】
2008299603.tif 000006
【図５】
2008299603.tif 000007
【図６】
2008299603.tif 000008
【図７】
2008299603.tif 000009
【図８】
2008299603.tif 000010
【図９】
2008299603.tif 000011